(57)【要約】【課題】反射状態における反射率の低下が抑制され、かつ近接物体の検出を可能とする表示装置及びミラー装置を提供する。【解決手段】表示装置は、表示パネルと、表示パネルと重畳するとともに、入射光が反射する反射状態と、入射光が透過する透過状態とを切り替える前面パネルとを有する。前面パネルは、被検出体の存在が検出可能である。【選択図】図１４
2020042192.tif 000002
【特許請求の範囲】
【請求項１】
表示パネルと、
前記表示パネルと重畳するとともに、入射光が反射する反射状態と、入射光が透過する透過状態とを切り替える前面パネルとを有し、
前記前面パネルは、
被検出体の存在が検出可能である、
表示装置。
【請求項２】
前記前面パネルは、
第１基板と、
前記第１基板と対向する第２基板と、
前記第１基板に設けられた第１透光性電極と、
前記第２基板に設けられた第２透光性電極と、
を備え、
前記第１透光性電極又は前記第２透光性電極によって、前記被検出体の存在が検出可能である、
請求項１に記載の表示装置。
【請求項３】
前記第２透光性電極が複数に分割されている、請求項２に記載の表示装置。
【請求項４】
前記第１透光性電極が複数に分割されている、請求項３に記載の表示装置。
【請求項５】
前記第２透光性電極が複数に分割され、端部に沿う電極が、中央寄りの電極よりも小さい、請求項２に記載の表示装置。
【請求項６】
前記第２透光性電極には、前記被検出体の存在を検出するための交流矩形波が印加される、請求項２から５のいずれか１項に記載の表示装置。
【請求項７】
前記第２透光性電極には、前記反射状態と、前記透過状態とにおいて、同じ第１電圧が印加されており、前記透過状態において、前記交流矩形波が前記第１電圧に重畳する、請求項６に記載の表示装置。
【請求項８】
前記第１透光性電極は、前記反射状態において基準電圧であり、
前記透過状態において、前記基準電圧と異なる第２電圧が前記第１透光性電極に印加され、前記第２透光性電極に交流矩形波が印加されるタイミングで、前記第１透光性電極には、基準電圧が印加され、かつ前記交流矩形波と同じ信号が印加される、請求項６又は７に記載の表示装置。
【請求項９】
分割された前記第２透光性電極は、アナログフロントエンドに電気的に接続されている、請求項２から８のいずれか１項に記載の表示装置。
【請求項１０】
前記第１基板と前記第２基板との間には、液晶層がある、請求項２から９のいずれか１項に記載の表示装置。
【請求項１１】
前記第１透光性電極と前記第２透光性電極との間には、縦電界が加わる、請求項１０に記載の表示装置。
【請求項１２】
前記第１透光性電極と前記第２透光性電極との間には、横電界が加わる、請求項１０に記載の表示装置。
【請求項１３】
前記第１基板と前記第２基板との間には、エレクトロクロミック層がある、請求項２から８のいずれか１項に記載の表示装置。
【請求項１４】
入射光が反射する反射状態と、入射光が透過する透過状態でかつ画像が表示可能なミラー装置であって、
請求項１から請求項４のいずれか１項に記載の表示装置と、前記画像を撮像する撮像装置を備える、ミラー装置。
【発明の詳細な説明】
【技術分野】
【０００１】
本開示は、入射光が反射する反射状態と、入射光が透過する透過状態でかつ画像表示可能な表示装置及びミラー装置に関する。
【背景技術】
【０００２】
特許文献１には、画像を表示する表示状態と、反射像が得られる鏡状態（反射状態）とに切り替え可能な装置が記載されている。
【先行技術文献】
【特許文献】
【０００３】
【特許文献１】特開２００１−３１８３７４号公報
【発明の概要】
【発明が解決しようとする課題】
【０００４】
特許文献１の表示装置において、タッチパネルを更に上に重ねると、反射状態における反射率が低下してしまう可能性がある。
【０００５】
本開示は、反射状態における反射率の低下が抑制され、かつ近接物体の検出を可能とする表示装置及びミラー装置を提供することを目的とする。
【課題を解決するための手段】
【０００６】
本発明の一態様による表示装置は、表示パネルと、前記表示パネルと重畳するとともに、入射光が反射する反射状態と、入射光が透過する透過状態とを切り替える前面パネルとを有し、前記前面パネルは、被検出体の存在が検出可能である。
【０００７】
本発明の他の態様によるミラー装置は、入射光が反射する反射状態と、入射光が透過する透過状態でかつ画像表示可能なミラー装置であって、上記表示装置と、前記画像を撮像する撮像装置を備える。
【図面の簡単な説明】
【０００８】
【図１】図１は、実施形態１の表示装置のアクティブ領域を説明するための模式的な平面図である。
【図２】図２は、実施形態１の表示装置の構成の一例を示す斜視図である。
【図３】図３は、実施形態１の表示装置の第２透光性電極を示す平面図である。
【図４】図４は、実施形態１の表示装置の第１透光性電極を示す平面図である。
【図５】図５は、実施形態１の表示装置の断面図である。
【図６】図６は、実施形態１の表示装置の断面図である。
【図７】図７は、表示パネルの画素の大きさと、第２透光性電極の大きさとを模式的に比較して説明する説明図である。
【図８】図８は、実施形態１の表示装置を説明するためのブロック図である。
【図９】図９は、入射光が透過する透過状態でかつ画像表示可能な表示状態を説明するための模式図である。
【図１０】図１０は、入射光が反射する反射状態を説明するための模式図である。
【図１１】図１１は、第１偏光部材の透過軸と、光学シートの透過軸との関係を模式的に説明するための説明図である。
【図１２】図１２は、ミラー装置の取り付け状態を示す図である。
【図１３】図１３は、駆動回路のブロック図の一例である。
【図１４】図１４は、自己静電容量検出の等価回路の例を示す説明図である。
【図１５】図１５は、自己静電容量検出の駆動信号及び検出信号の波形の一例を表す図である。
【図１６】図１６は、実施形態１の表示状態における静電容量検出のタイミングチャートである。
【図１７】図１７は、実施形態１に係るホバー検出の一例を示す説明図である。
【図１８】図１８は、静電容量検出の一例を説明するためのフローチャートである。
【図１９】図１９は、検出電極ブロックと信号強度との関係を模式的に示すグラフである。
【図２０】図２０は、実施形態２の表示状態における静電容量検出のタイミングチャートである。
【図２１】図２１は、実施形態３の表示装置の断面図である。
【図２２】図２２は、実施形態４の表示装置の断面図である。
【図２３】図２３は、実施形態５の表示装置の断面図である。
【発明を実施するための形態】
【０００９】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。更に、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態１）
図１は、実施形態１の表示装置のアクティブ領域を説明するための模式的な平面図である。図１に示すように、画像を表示する表示状態と、反射像が得られる鏡状態（反射状態）とに切り替え可能なアクティブ領域１０と、アクティブ領域１０の周囲にある額縁領域１０Ｆとがある。
【００１１】
図２は、実施形態１の表示装置の構成の一例を示す斜視図である。表示装置１００は、第１偏光部材４と、前面パネル１と、光学シート５と、第２偏光部材３１と、表示パネル２と、第３偏光部材３２と、バックライト３とを備えている。図２において、表示パネル２の平面の一方向がＸ方向とされ、表示パネル２の平面においてＸ方向と直交する方向がＹ方向とされ、Ｘ−Ｙ平面に直交する方向がＺ方向とされている。Ｚ方向にみて表示パネル２が画像を表示する表示面（又は上面）がある側を表示面側（又は上面側）といい、Ｚ方向にみて表示面（又は上面）とは反対の背面（又は下面）がある側を背面側（又は下面側）という。
【００１２】
Ｚ方向にみて、表示パネル２の背面側には、第３偏光部材３２と、バックライト３とが表示パネル２と重なり合う。
【００１３】
バックライト３は、表示パネル２に向けて光を出射する照明装置である。バックライト３は、例えば、光源と導光板とを有し、光源から出射された光を導光板で散乱させつつ、表示パネル２と対面する出射面から光を出射する。バックライト３は、導光板と第３偏光部材３２との間にプリズムシートや拡散シートを有していても良い。
【００１４】
Ｚ方向において、表示パネル２の表示面側には、第１偏光部材４と、前面パネル１と、光学シート５と、第２偏光部材３１と、がこの順に表示パネル２と重なり合う。このように、前面パネル１は、表示パネル２と重畳している。
【００１５】
図３は、実施形態１の表示装置の第２透光性電極を示す平面図である。図４は、実施形態１の表示装置の第１透光性電極を示す平面図である。図５は、実施形態１の表示装置の断面図である。図５に示す第２透光性電極１５は、図３に示すように、第２透光性電極１５１１から１５２６、及び１５３１から１５３６に分割されている。以下、第２透光性電極１５と表記した場合、第２透光性電極１５は、第２透光性電極１５１１から１５２６、及び１５３１から１５３６の全体を指し示している。第２透光性電極１５は、図１に示すアクティブ領域１０と重なる。
【００１６】
図５に示す第１透光性電極１４は、図４に示すように、第１透光性電極１４１１から１４２６、及び１４３１から１４３６に分割されている。以下、第１透光性電極１４と表記した場合、第１透光性電極１４は、第１透光性電極１４１１から１４２６、及び１４３１から１４３６の全体を指し示している。図３に示すように、第１透光性電極１４１１から１４２６、及び１４３１から１４３６は、フレキシブルプリント基板（ＦＰＣ）１８を介して、プリント基板９９に搭載された駆動回路１７にそれぞれ接続されている。第１透光性電極１４は、図１に示すアクティブ領域１０と重なる。
【００１７】
図５は、画像が表示されている表示状態の表示装置１００を示す図である。図６は、実施形態１の表示装置の断面図である。図６は、入射光が反射する反射状態の表示装置１００を示す図である。図５及び図６の断面は、図３に示すＶ−Ｖ’の模式的な断面である。
【００１８】
図５、図６に示すように、表示パネル２は、いわゆる液晶表示装置である。表示パネル２は、透光性の基板２１と、透光性の基板２２と、基板２１と基板２２との間に封止層２３で封止された液晶層２９とを備えている。なお、表示パネル２は、液晶表示装置に限定されるものでなく、ＥＬ（Ｅｌｅｃｔｒｏ−Ｌｕｍｉｎｅｓｃｅｎｃｅ）方式等の表示装置であってもよい。
【００１９】
液晶層２９は、電界の状態に応じて、液晶層２９を通過する光を変調するものである。液晶層２９は、実施形態１においては、例えば、ＩＰＳ（インプレーンスイッチング）の一形態であるＦＦＳ（フリンジフィールドスイッチング）等の横電界モードが用いられるが、これに限定されるものではなく、縦電界モードを用いてもよい。例えば、ＴＮ（Ｔｗｉｓｔｅｄ  Ｎｅｍａｔｉｃ：ツイステッドネマティック）、ＶＡ（Ｖｉｒｔｉｃａｌ  Ａｌｉｇｎｍｅｎｔ：垂直配向）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折）等の各種モードの液晶を用いてもよい。
【００２０】
図７は、表示パネルの画素の大きさと、第２透光性電極の大きさとを模式的に比較して説明する説明図である。表示パネル２は、画像を表示する。表示パネル２は、図７に示すように多数の画素Ｐｉｘが二次元配列で配置されている。表示パネル２は、バックライト３（図４参照）から出射された光が入射する。表示パネル２は、各画素Ｐｉｘに入射される光の透過率を変えることで、画像を表示させる。
【００２１】
実施形態１の表示装置１００は、モノクロ表示対応の表示装置及びカラー表示対応の表示装置のいずれにも適用できる。カラー表示対応の表示装置１００とした場合、カラー画像を形成する単位となる１つの画素Ｐｉｘ（単位画素）が、複数の副画素（サブピクセル）を含むことになる。より具体的には、カラー表示対応の表示装置では、１つの画素は、例えば、赤色（Ｒｅｄ；Ｒ）を表示する副画素、緑色（Ｇｒｅｅｎ；Ｇ）を表示する副画素及び青色（Ｂｌｕｅ；Ｂ）を表示する副画素の３つの副画素を含む。
【００２２】
１つの画素は、ＲＧＢの３原色の副画素の組み合わせに限定されず、ＲＧＢの３原色の副画素に更に１色又は複数色の副画素を加えて１つの画素を構成することも可能である。より具体的には、例えば、輝度向上のために白色（Ｗｈｉｔｅ；Ｗ）を表示する副画素を加えて１つの画素を構成したり、色再現範囲を拡大するために補色を表示する少なくとも１つの副画素を加えて１つの画素を構成したりすることも可能である。
【００２３】
図５及び図６に示す基板２１の液晶層２９側には、マトリクス状に配置された複数の画素電極２５と、共通電極２４と、がある。画素電極２５と共通電極２４とは、絶縁層２６で絶縁され、基板２１の表面に垂直なＺ方向において、対向している。画素電極２５及び共通電極２４は、ＩＴＯ（Ｉｎｄｉｕｍ  Ｔｉｎ  Ｏｘｉｄｅ）等の透光性導電材料（透光性導電酸化物）で形成される透光性電極である。基板２１は、ガラスや樹脂などの透光性基板である。基板２１の液晶層２９側には、積層された配向膜８３が設けられている。基板２１の液晶層２９とは反対側には、第３偏光部材３２が配置されている。
【００２４】
図５及び図６に示す基板２２の液晶層２９側には、カラーフィルタ（図示省略）と、配向膜８４とが設けられている。カラーフィルタは、例えば、赤（Ｒ）、緑（Ｇ）、青（Ｂ）の３色に着色された色領域を含む。基板２２の液晶層２９とは反対側には、第２偏光部材３１が配置されている。
【００２５】
表示パネル２は、ドライバＩＣとよばれる駆動回路２７を備えている。フレキシブルプリント基板（ＦＰＣ（Ｆｌｅｘｉｂｌｅ  Ｐｒｉｎｔｅｄ  Ｃｉｒｃｕｉｔｓ））２８は、駆動回路２７への信号又は駆動回路２７を駆動する駆動電力を伝送する。
【００２６】
図５、図６に示すように、前面パネル１は、第１基板１１と、第２基板１２と、第１基板１１と第２基板１２との間に封止層１３で封止された液晶層１９とを備えている。第１基板１１及び第２基板１２は、ガラスや樹脂などの透光性基板である。
【００２７】
液晶層１９は、電界の状態に応じて、液晶層１９を通過する入射した光の偏光方向を変換可能なように変調するものである。液晶層１９は、実施形態１においては、例えば、ＴＮモードが用いられる。
【００２８】
図５及び図６に示す第１基板１１の液晶層１９がある側には、図７に示すマトリクス状の画素Ｐｉｘ全体の領域以上の大きさを有する第１透光性電極１４がある。第２基板１２の液晶層１９側には、図７に示すマトリクス状の画素Ｐｉｘ全体の領域以上の大きさを有する第２透光性電極１５がある。本実施形態では、第１透光性電極１４は、供給される電圧が変化し、電界により液晶層１９の状態を変化させる駆動電極である。第２透光性電極１５は、固定された電圧により固定電位を維持する固定電位電極である。図５及び図６に示すように、第１透光性電極１４は、窒化シリコンなどの透光性の絶縁膜８５で覆われている。絶縁膜８６は、第２透光性電極１５と第１透光性電極１４とのショートを抑制できる。金属層７３は、絶縁膜８５で覆われることで、腐食が抑制される。
【００２９】
また、第１基板１１は、配向膜８１を介して、配向膜８１に接する液晶層１９の液晶配向を一方向にしている。同様に、第２基板１２は、配向膜８２を介して、配向膜８２に接する液晶層１９の液晶配向を、第１基板１１に接する液晶配向と異なる方向にしている。第１透光性電極１４と第２透光性電極１５とは、第１基板１１の表面に垂直なＺ方向において、対向している。第１透光性電極１４及び第２透光性電極１５は、ＩＴＯ等の透光性導電材料（透光性導電酸化物）で形成される透光性電極である。
【００３０】
図７に示すように、アクティブ領域１０の面積は、全画素Ｐｉｘが配置された表示領域と同じ面積である。
【００３１】
ＦＰＣ１８は、前面パネル１とボンディングパッド７４で電気的に接続される。図５に示す金属層７３の一部は、図４に示すようにパターニングされ、図３に示す第２透光性電極１５１１から１５２６、及び１５３１から１５３６に電気的に接続された各導電柱７１とボンディングパッド７４とを接続する配線となる。あるいは、金属層７３の一部は、各第２透光性電極１５とボンディングパッド７４とを接続する配線となる。金属層７３の他の部分は、額縁領域１０Ｆに沿って配置される。金属層７３の他の部分は、配線であって、かつアクティブ領域１０の光透過率よりも額縁領域１０Ｆの光透過率を低くなるように、額縁領域１０Ｆを遮光する遮光部である。駆動回路１７は、ＦＰＣ１８を介して前面パネル１へ第１透光性電極１４及び第２透光性電極１５の電力を伝送する。
【００３２】
求められる偏光度、反射像のムラに応じて第１偏光部材４の材質が選択される。例えば、第２基板１２の液晶層１９とは反対側には、シクロオレフィンポリマーの基材層６４がある。基材層６４の表示面側は、ラビング処理がされ、特定の配向が付与されている。
【００３３】
第１偏光部材４は、基材層６４の表示面側に形成されている。言い換えると、第１偏光部材４は、第２基板１２の液晶層１９とは反対側の面にある。第１偏光部材４は、液晶材料と二色性色素とが混合された塗布型偏光層である。第１偏光部材４が、液晶材料と二色性色素とが混合された塗布型偏光層であれば、表示装置１００は、反射像の短波長側の波長が吸収されにくく、白色度がニュートラルに近くなる。
【００３４】
あるいは、第１偏光部材４は、ヨウ素をＰＶＡのフィルムに吸着させ、一方向に延伸して分子の配向を一定方向に揃える偏光板であってもよい。この場合、基材層６４が省略され、第１偏光部材４は、第２基板１２の液晶層１９とは反対側に設けられる。
【００３５】
光学シート５において、第１偏光方向の直線偏光が透過され、第２偏光方向の直線偏光が反射される。光学シート５は、反射型偏光板ともよばれる。
【００３６】
図８は、実施形態１の表示装置を説明するためのブロック図である。図８において、実施形態１の表示装置１００は、車両のルームミラーとして使用されている。制御部９は、例えば、演算装置であるＣＰＵ（Ｃｅｎｔｒａｌ  Ｐｒｏｃｅｓｓｉｎｇ  Ｕｎｉｔ）と、記憶装置であるメモリとを備えたコンピュータである。制御部９は、これらのハードウェア資源を用いてコンピュータプログラムを実行することによって各種の機能を実現することもできる。
【００３７】
具体的には、制御部９は、所定の記憶部（図示せず）に記憶されているコンピュータプログラムを読み出してメモリに展開し、メモリに展開されたプログラムに含まれる命令をＣＰＵに実行させる。実施形態１において、制御部９は、鏡面状態決定部９３と、画像制御部９４とを備える。鏡面状態決定部９３と、画像制御部９４とは、ハードウェア資源を用いてコンピュータプログラムを実行することによってそれぞれ実現される制御部９の機能である。
【００３８】
そして、画像制御部９４は、ＣＰＵによる命令の実行結果に応じて、バックライト３の点灯及び消灯並びに点灯時の光量及び光の強度を制御する。また、画像制御部９４は、ＣＰＵによる命令の実行結果に応じて、表示パネル２に表示させる画像信号を、フレキシブルプリント基板２８を介して駆動回路２７へ伝送し、駆動回路２７が表示パネル２に画像を表示させる。また、鏡面状態決定部９３は、入力部２０２の表示状態の指令信号に応じて、ＦＰＣ１８を介して駆動回路１７を制御し、駆動回路１７が第１透光性電極１４に電圧を印加する状態にする。これにより、第１透光性電極１４の電圧が閾値以上となる。又は、鏡面状態決定部９３は、入力部２０２の反射状態の指令信号に応じて、ＦＰＣ１８を介して駆動回路１７を制御し、駆動回路１７が第１透光性電極１４に電圧を印加しない状態にする。これにより、第１透光性電極１４の印加電圧が、基準電圧となり、閾値より小さくなる。
【００３９】
例えば、図８に示すように、制御部９は、車両２００の撮像装置２０１と接続されている。撮像装置２０１は、車両２００の後方ＢＤを撮影し、車両２００の後方ＢＤの画像が制御部９に伝送される。表示状態において、表示装置１００は、車両２００の後方ＢＤの画像を表示する。撮像装置２０１が車両に取り付けられる位置は、車両２００の前方ＦＤを撮影できる位置としてもよく、車両２００の周囲を撮影できる位置でもよい。
【００４０】
図９は、入射光が透過する透過状態でかつ画像表示可能な表示状態を説明するための模式図である。図９に示すように、第１偏光部材４は、第１偏光方向ＰＡ１と直交する第２偏光方向ＰＡ２の直線偏光を吸収する。
【００４１】
第１偏光方向ＰＡ１の直線偏光が第１偏光部材４を透過し、前面パネル１に入射する。前面パネル１において、図６に示すように、駆動回路１７が第１透光性電極１４に電圧を印加する状態になっている。第１透光性電極１４と第２透光性電極１５との間には、縦電界が加わる。これにより、前面パネル１において、第１偏光部材４から入射した第１偏光方向ＰＡ１の直線偏光を第１偏光方向ＰＡ１の直線偏光のまま、光学シート５へ出射する。
【００４２】
ここで、表示パネル２が画像を表示すると、第１偏光部材４、前面パネル１、光学シート５が、第１偏光方向ＰＡ１の直線偏光に対してシャッターを開けた状態となり、画像を視認し易くする。
【００４３】
光学シート５において、前面パネル１から入射した第１偏光方向ＰＡ１の直線偏光が透過する。第２偏光部材３１は、第１偏光方向ＰＡ１の直線偏光を透過する。このように、第１偏光部材４の表示面側より、表示パネル２の画像が視認可能である。
【００４４】
表示パネル２は、第２偏光部材３１を介して、第１偏光方向ＰＡ１の直線偏光により、画像を出射する。
【００４５】
光学シート５において、表示パネル２から入射した第１偏光方向ＰＡ１の直線偏光が透過する。
【００４６】
前面パネル１において、光学シート５から入射した第１偏光方向ＰＡ１の直線偏光を第１偏光方向ＰＡ１の直線偏光のまま、第１偏光部材４へ出射する。
【００４７】
第１偏光方向ＰＡ１の直線偏光が第１偏光部材４を透過し、第１偏光部材４の表示面側に画像として出射する。
【００４８】
以上説明したように、図８に示す鏡面状態決定部９３が入力部２０２の透過状態の指令信号を受け取ると、入射光が透過する透過状態となるように駆動回路１７が動作する。画像制御部９４は、バックライト３と、表示パネル２とを制御し、表示パネル２に画像を表示する。
【００４９】
図１０は、入射光が反射する反射状態を説明するための模式図である。図１０に示すように、第１偏光部材４は、第１偏光方向ＰＡ１と直交する第２偏光方向ＰＡ２の直線偏光を吸収する。
【００５０】
第１偏光方向ＰＡ１の直線偏光が第１偏光部材４を透過し、前面パネル１に入射する。前面パネル１において、図５に示すように、駆動回路１７が第１透光性電極１４に電圧を印加していない状態になっている。これにより、前面パネル１において、第１偏光部材４から入射した第１偏光方向ＰＡ１の直線偏光を第２偏光方向ＰＡ２の直線偏光に変換して、光学シート５へ出射する。
【００５１】
光学シート５において、前面パネル１から入射した第２偏光方向ＰＡ２の直線偏光が反射される。
【００５２】
光学シート５で反射された第２偏光方向ＰＡ２の直線偏光が前面パネル１に入射する。前面パネル１において、光学シート５から入射した第２偏光方向ＰＡ２の直線偏光を第１偏光方向ＰＡ１の直線偏光に変換して、第１偏光部材４へ出射する。
【００５３】
前面パネル１からの第１偏光方向ＰＡ１の直線偏光が第１偏光部材４を透過し、第１偏光部材４の表示面側からみると、第１偏光部材４の表示面側の像が鏡面のように表示される。
【００５４】
ここで、表示パネル２が画像を表示しても、第１偏光部材４、前面パネル１、光学シート５が、表示パネル２が出射した第１偏光方向ＰＡ１の直線偏光が変換された第２偏光方向ＰＡ２の直線偏光に対してシャッターを閉めた状態となり、画像を視認し難くする。
【００５５】
具体的には、表示パネル２は、第２偏光部材３１を介して、第１偏光方向ＰＡ１の直線偏光により、画像を出射する。
【００５６】
光学シート５において、表示パネル２から入射した第１偏光方向ＰＡ１の直線偏光が透過する。
【００５７】
前面パネル１において、光学シート５から入射した第１偏光方向ＰＡ１の直線偏光を第２偏光方向ＰＡ２の直線偏光に変換して、第１偏光部材４へ出射する。
【００５８】
第２偏光方向ＰＡ２の直線偏光が第１偏光部材４で吸収され、第１偏光部材４の表示面側に画像が視認し難くなる。
【００５９】
以上説明したように、図８に示す鏡面状態決定部９３が入力部２０２の反射状態の指令信号を受け取ると、入射光が反射する反射状態となるように駆動回路１７が動作する。反射状態において、表示パネル２に画像を表示しても画像が視認し難いので、図８に示す鏡+-面状態決定部９３が入力部２０２の反射状態の指令信号を受け取ると、画像制御部９４は、表示パネル２に画像を表示しないようにする。
【００６０】
以上説明したように、表示装置１００は、第１偏光部材４と、光学シート５と、前面パネル１と、第２偏光部材３１と、表示パネル２と、を備えている。第１偏光部材４は、第１偏光方向ＰＡ１と直交する第２偏光方向ＰＡ２の直線偏光を吸収する。光学シート５は、第２偏光方向ＰＡ２の直線偏光を反射し、第１偏光方向ＰＡ１の直線偏光を透過する。前面パネル１は、印加電圧に応じて、入射した光の偏光方向を他の偏光方向に変換可能である。そして、前面パネル１は、第１偏光部材４と光学シート５との間に配置されている。表示パネル２は、光学シート５に対して、第２偏光方向ＰＡ２の直線偏光を透過する第２偏光部材３１を介して、前面パネル１とＺ方向に重ね合わされている。これにより、表示装置１００は、図６及び図９に示す画像を表示する表示状態と、図５及び図１０に示す反射像が得られる鏡状態（反射状態）とに切り替え可能である。
【００６１】
前面パネル１は、表示パネル２よりも観察者側にある。前面パネル１は、入射した第１偏光方向ＰＡ１の直線偏光を第１偏光方向ＰＡ１の直線偏光のまま出射する第１前面パネル状態と、入射した第１偏光方向ＰＡ１の直線偏光を第２偏光方向ＰＡ２の直線偏光に変換して出射する第２前面パネル状態とのどちらかに、駆動回路１７が第１透光性電極１４に電圧を印加する状態に応じて切り替えることが可能なパネルである。
【００６２】
これにより、第１前面パネル状態において、反射状態となり、第２前面パネル状態において、表示状態になる。反射状態の電力消費は、表示状態の電力消費よりも少なくなる。言い換えると、印加電圧が閾値より小さい場合、表示装置１００において、入射光が反射される。その結果、表示装置１００において、反射状態において消費電力が低減可能になる。
【００６３】
図１１は、第１偏光部材の透過軸と、光学シートの透過軸との関係を模式的に説明するための説明図である。図１１には、第１偏光部材４の透過軸方向ＰＵ１と、配向膜８２のラビング方向ＰＢ２と、配向膜８１のラビング方向ＰＢ１と、光学シート５の透過軸方向ＰＵ２と、光学シート５の反射軸方向ＰＭとが図示されている。
【００６４】
図１１に示すように、配向膜８２のラビング方向ＰＢ２と、配向膜８１のラビング方向ＰＢ１とは、平面視で交差する方向である。第１偏光部材４の透過軸方向ＰＵ１と、光学シート５の透過軸方向ＰＵ２と、は平行である。第１偏光部材４の透過軸方向ＰＵ１と、光学シート５の反射軸方向ＰＭとは、交差する方向である。これにより、第１偏光部材４及び光学シート５には、第１偏光方向ＰＡ１の直線偏光が透過するようになる。
【００６５】
図１２は、ミラー装置の取り付け状態を示す図である。図１２において、実施形態１の表示装置１００は、ウインドウＷの中央上部に配置されるルームミラーとして使用されている。ミラー装置は、入射光が反射する反射状態と、入射光が透過する透過状態でかつ画像表示可能である。
【００６６】
第１透光性電極１４の印加電圧が閾値より小さい場合、入射光が反射された反射状態となり、表示装置１００は、車両後方からの入射光が鏡面反射し、車両後方が視認できるミラーとなっている。反射状態において、図８に示す制御部９は、車両２００の後方ＢＤの画像を表示パネル２に表示しない。
【００６７】
表示状態において、表示装置１００の表示パネル２が後方の撮像装置２０１（図８参照）が撮影した画像を表示する。あるいは、表示状態において、表示装置１００の表示パネル２が車両の周囲の撮像装置が撮影した画像を表示してもよい。
【００６８】
実施形態１の表示装置１００は、車両のサイドミラー１０１に適用してもよい。車両のサイドミラー１０１は、車両の車外に配置したが、車両の車内に配置してもよい。
【００６９】
図１３は、駆動回路のブロック図の一例である。駆動回路１７は、制御回路１７１と、検出回路１７２と、アナログフロントエンドＳＣとを備える。制御回路１７１は、第１透光性電極駆動部１７１Ａと、第２透光性電極駆動部１７１Ｂと、検出信号駆動部１７１Ｃとを備える。
【００７０】
制御部９からの指令信号Ｓｃｎｔに応じて、第２透光性電極駆動部１７１Ｂは、第２透光性電極１５１１から１５２６、及び１５３１から１５３６に駆動信号Ｖｃｏｍを供給する回路である。
【００７１】
また、制御部９からの指令信号Ｓｃｎｔに応じて、第１透光性電極駆動部１７１Ａは、第１透光性電極１４１１から１４２６、及び１４３１から１４３６に、駆動信号Ｖｍを供給する。
【００７２】
制御部９からの指令信号Ｓｃｎｔに応じて、検出信号駆動部１７１Ｃは、第２透光性電極１５１１から１５２６、及び１５３１から１５３６に駆動信号Ｖｓｅｌｆを供給する回路である。検出信号駆動部１７１Ｃは、第１透光性電極１４１１から１４２６、及び１４３１から１４３６に、駆動信号Ｖｓｅｌｆと同じ信号であるガード信号Ｖｇｄを供給する。
【００７３】
制御回路１７１は、上述した金属層７３の配線を介して、第２透光性電極１５１１から１５２６、及び１５３１から１５３６に、駆動信号Ｖｓｅｌｆを供給する。
【００７４】
第２透光性電極１５１１から１５２６、及び１５３１から１５３６は、後述する自己静電容量方式による被検出体の検出方法に基づいて、前面パネル１に接触又は近接した被検出体の位置に応じた検出信号Ｖｄｅｔを出力する。第２透光性電極１５１１から１５２６、及び１５３１から１５３６は、上述した金属層７３を介して、アナログフロントエンドＳＣに電気的に接続されている。第２透光性電極１５１１から１５２６、及び１５３１から１５３６は、被検出体の接触又は近接に応じて、検出信号ＶｄｅｔをアナログフロントエンドＳＣに出力する。
【００７５】
図１３に示すように、検出回路１７２は、Ａ／Ｄ変換回路１７３と、信号処理回路１７４と、座標抽出回路１７５と、検出タイミング制御回路１７６と、を備える。検出タイミング制御回路１７６は、制御回路１７１から供給される制御信号に基づいて、Ａ／Ｄ変換回路１７３と、信号処理回路１７４と、座標抽出回路１７５とが同期して動作するように制御する。
【００７６】
検出回路１７２には、アナログフロントエンドＳＣを介して、第２透光性電極１５１１から１５２６、及び１５３１から１５３６からの検出信号Ｖｄｅｔを供給される。アナログフロントエンドＳＣは、供給された検出信号Ｖｄｅｔのノイズを抑制し、信号成分を増幅するなど信号調整を行う。Ａ／Ｄ変換回路１７３は、駆動信号Ｖｓｅｌｆに同期したタイミングで、アナログフロントエンドＳＣから出力されるアナログ信号をそれぞれサンプリングしてデジタル信号に変換する。
【００７７】
信号処理回路１７４は、Ａ／Ｄ変換回路１７３の出力信号に基づいて、検出信号の差分の信号（絶対値｜ΔＶ｜）を取り出す処理を行う。信号処理回路４４は、絶対値｜ΔＶ｜を所定の閾値電圧と比較し、この絶対値｜ΔＶ｜が閾値電圧未満であれば、被検出体が非存在状態であると判断する。一方、信号処理回路１７４は、絶対値｜ΔＶ｜が閾値電圧以上であれば、被検出体の存在状態と判断する。
【００７８】
座標抽出回路１７５は、信号処理回路１７４において被検出体が検出されたときに、被検出体の座標を求める論理回路である。座標抽出回路１７５は、被検出体の座標を出力信号Ｖｏｕｔとして出力する。
【００７９】
以上説明したように、検出回路１７２は、第２透光性電極１５１１から１５２６、及び１５３１から１５３６から出力される検出信号Ｖｄｅｔに基づいて、前面パネル１のアクティブ領域１０を検出面として、この検出面に近づいた被検出体を検出する。検出回路１７２は、被検出体の存在状態と判断されるいずれかの第２透光性電極１５１１から１５２６、及び１５３１から１５３６の位置に基づいて被検出体の座標などを求める。
【００８０】
図１４は、自己静電容量検出の等価回路の例を示す説明図である。図１５は、自己静電容量検出の駆動信号及び検出信号の波形の一例を表す図である。なお、図１４は、検出回路を併せて示している。なお、以下の説明では、被検出体が指の場合を説明するが、被検出体は、指に限られず、例えば手やスタイラスペン等の導体を含む物体であってもよい。以下、第２透光性電極１５１１から１５２６、及び１５３１から１５３６のいずれか１つを検出電極Ｅ１として説明する。
【００８１】
非存在状態において、検出電極Ｅ１に所定の周波数（例えば数ｋＨｚ〜数百ｋＨｚ程度）の交流矩形波の駆動信号Ｖｓｅｌｆが印加される。検出電極Ｅ１は、静電容量Ｃ１を有しており、静電容量Ｃ１に応じた電流が流れる。電圧検出器ＤＥＴは、駆動信号Ｖｓｅｌｆに応じた電流の変動を電圧の変動（実線の波形Ｖ０（図１５参照））に変換する。
【００８２】
次に、図１４に示すように、被検出体の存在状態において、指と検出電極Ｅ１との間の静電容量Ｃ２が、検出電極Ｅ１の静電容量Ｃ１に加わる。したがって、検出電極Ｅ１に駆動信号Ｖｓｅｌｆが印加されると、静電容量Ｃ１及び静電容量Ｃ２に応じた電流が流れる。図４に示すように、電圧検出器ＤＥＴは、駆動信号Ｖｓｅｌｆに応じた電流の変動を電圧の変動（点線の波形Ｖ１）に変換する。そして、波形Ｖ０と波形Ｖ１との差分の絶対値｜ΔＶ｜に基づいて、被検出体の存在が測定される。
【００８３】
具体的には、図１５において、時刻Ｔ０１のタイミングで駆動信号Ｖｓｅｌｆは電圧Ｖ２に相当する電圧レベルに上昇する。このときスイッチＳＷ１はオンとなりスイッチＳＷ２はオフとなるため検出電極Ｅ１の電位も電圧Ｖ２に上昇する。次に時刻Ｔ１１のタイミングの前にスイッチＳＷ１をオフとする。このとき検出電極Ｅ１はフローティング状態であるが、検出電極Ｅ１の静電容量Ｃ１（又はＣ１＋Ｃ２、図３参照）によって、検出電極Ｅ１の電位はＶ２が維持される。更に、時刻Ｔ１１のタイミングの前に電圧検出器ＤＥＴのリセット動作が行われる。
【００８４】
続いて、時刻Ｔ１１のタイミングでスイッチＳＷ２をオンさせると、検出電極Ｅ１の静電容量Ｃ１（又はＣ１＋Ｃ２）に蓄積されていた電荷が電圧検出器ＤＥＴ内の容量Ｃ３に移動するため、電圧検出器ＤＥＴの出力が上昇する（図４の検出信号Ｖｄｅｔ参照）。電圧検出器ＤＥＴの出力（検出信号Ｖｄｅｔ）は、非存在状態では、実線で示す波形Ｖ０となり、Ｖｄｅｔ＝Ｃ１×Ｖ２／Ｃ３となる。存在状態では、点線で示す波形Ｖ１となり、Ｖｄｅｔ＝（Ｃ１＋Ｃ２）×Ｖ２／Ｃ３となる。
【００８５】
その後、時刻Ｔ３１のタイミングでスイッチＳＷ２をオフさせ、スイッチＳＷ１及びスイッチＳＷ３をオンさせることにより、検出電極Ｅ１の電位を駆動信号Ｖｓｅｌｆと同電位のローレベルにするとともに電圧検出器ＤＥＴをリセットさせる。以上の動作を所定の周波数（例えば数ｋＨｚ〜数百ｋＨｚ程度）で繰り返す。このようにして、検出回路１７２は自己静電容量方式による被検出体の検出方法に基づいて、被検出体の存在状態が検出可能となる。
【００８６】
図１６は、表示状態における静電容量検出のタイミングチャートである。実施形態１の反射状態において、第２透光性電極１５には、第２透光性電極駆動部１７１Ｂから駆動信号Ｖｃｏｍが供給されている。第１透光性電極１４には、第１透光性電極駆動部１７１Ａから駆動信号Ｖｍが供給されず、基準電圧Ｖｓｔとなっている。第１透光性電極１４が基準電圧Ｖｓｔである場合、前面パネル１が反射状態となっている。
【００８７】
第２透光性電極１５には、第２透光性電極駆動部１７１Ｂから駆動信号Ｖｃｏｍが供給されている。第１透光性電極１４には、第１透光性電極駆動部１７１Ａから駆動信号Ｖｍが１フレーム１Ｆ毎に極性反転駆動されている。これにより、第２透光性電極１５の駆動信号Ｖｃｏｍに対して第１透光性電極１４の印加電圧が閾値以上となり、アクティブ領域１０が透過状態になる。
【００８８】
検出信号駆動部１７１Ｃは、第２透光性電極１５１１から１５２６、及び１５３１から１５３６に駆動信号Ｖｓｅｌｆを複数回供給する。上述したように、１つの駆動信号Ｖｓｅｌｆは、交流矩形波である。第１透光性電極１４の電位も第２透光性電極１５に容量カップリングされているので、駆動信号Ｖｓｅｌｆに同期した信号Ｖｆが現れる。
【００８９】
以上説明したように、第２透光性電極１５には、反射状態と透過状態とにおいて、駆動信号Ｖｃｏｍにより同じ第１電圧が印加されており、透過状態において、交流矩形波である駆動信号Ｖｓｅｌｆが駆動信号Ｖｃｏｍの第１電圧に重畳する。
【００９０】
実施形態１において、アクティブ領域１０により表示を行う表示モードと、アクティブ領域１０が鏡面状態となる反射モードとが時分割で行われる。アクティブ領域１０が反射モードとなるため、被検出体の手指がアクティブ領域１０に接触すると、指紋などの汚れがつき、反射率が下がる可能性がある。このため、被検出体の手指がアクティブ領域１０に接触していなくても、被検出体が検出面又は表示面に接触していない状態又は接触と同視できるほどには近接していない状態（以下、「非接触状態」と表す）において、被検出体の位置や動きを検出することが望まれている。本開示において、ホバー検出とは、非接触状態において、被検出体の位置を検出することを表す。
【００９１】
図１７は、実施形態１に係るホバー検出の一例を示す説明図である。図９に示すように、前面パネル１は、被検出体である操作者の手指がアクティブ領域１０に対し非接触状態でホバー検出を行う。検出回路１７２は、検出信号Ｖｄｅｔに基づいて、アクティブ領域１０に垂直な方向に、被検出体との距離Ｄ１があっても被検出体による静電容量の変化を検出することができる。また、検出回路１７２は、検出信号Ｖｄｅｔに基づいて、被検出体の位置Ｒ１を検出することができる。被検出体の位置Ｒ１は、例えば、アクティブ領域１０と垂直な方向において、被検出体と対向する位置であり、複数の第２透光性電極１５１１から１５２０のうち、検出信号Ｖｄｅｔのうち電圧の変動が最大の値となる電極に対応する位置である。
【００９２】
これにより、実施形態１の表示装置１００は、アクティブ領域１０の汚れを抑制し、被検出体を検出することができる。
【００９３】
ホバー検出において、操作者の手指が物理的な接触なしに中空を動かすことになるので、操作しにくい心証を操作者に与える可能性がある。また、ホバー検出において、被検出体の位置Ｒ１の精度を高めようとすると、第２透光性電極１５１１から１５２０の面積を小さくすることになり、アクティブ領域１０の検出面から離れた被検出体を検知しにくくなる。第２透光性電極１５１１から１５２０は、距離Ｄ１を確保できる大面積を確保しつつ、第２透光性電極１５２１から１５２６、１５３１から１５３６は、図１７に示す端部１ＥＬ又は端部１ＥＲに、被検出体が接触した状態又は接触と同視し得るほど近接した状態（以下、「接触状態」と表す）において、被検出体の位置を検出する面積とする。第２透光性電極１５２１から１５２６、１５３１から１５３６の各々は、第２透光性電極１５１１から１５２０の各々よりも面積が小さくなる。
【００９４】
実施形態１の前面パネル１において、端部１ＥＬに沿う第２透光性電極１５２１から１５２６、又は端部１ＥＲに沿う第２透光性電極１５３１から１５３６が、アクティブ領域１０の中央寄りの第２透光性電極１５１１から１５２０よりも小さい。これにより、実施形態１の表示装置１００は、操作者の手指が端部１ＥＬ又は端部１ＥＲに接することで、第２透光性電極１５２１から１５２６、１５３１から１５３６のいずれかの位置に被検出体がタッチしていることを検出できる。操作者の手指が端部１ＥＬ又は端部１ＥＲに触れても、アクティブ領域１０の汚れは付着しない。
【００９５】
なお、アクティブ領域１０に対向する位置に被検出体が存在しない場合、又はホバー検出において被検出体を検出できない程度に被検出体が表示面から離れている状態を「非存在状態」と表す。また、検出面又は表示面に対向する位置に被検出体が存在する場合、又はホバー検出において被検出体を検出できる程度に被検出体が表示面から離れている状態を「存在状態」と表す。
【００９６】
図１８は、静電容量検出の一例を説明するためのフローチャートである。図１９は、検出電極ブロックと信号強度との関係を模式的に示すグラフである。表示装置１００は、表示状態の指令がない場合（ステップＳ１１、Ｎｏ）、反射状態のまま表示状態の指令を待つ。表示装置１００は、表示状態の指令がある場合（ステップＳ１１、Ｙｅｓ）、前面パネル１を表示状態にする（ステップＳ１２）。
【００９７】
次に、検出信号駆動部１７１Ｃは、第２透光性電極１５１１から１５２６、及び１５３１から１５３６に駆動信号Ｖｓｅｌｆを複数回供給する。そして、第２透光性電極１５１１から１５２６、及び１５３１から１５３６より供給された検出信号Ｖｄｅｔが、図１９に示す所定の閾値ΔＶｔｈ以上であるかどうかを判断する（ステップＳ１３）。例えば、図１９に示すように、検出回路１７２は、第２透光性電極１５１１から１５２６、及び１５３１から１５３６より供給された検出信号Ｖｄｅｔの信号強度を求め、所定の閾値ΔＶｔｈと比較する。
【００９８】
複数の検出信号Ｖｄｅｔのうち、いずれか１つの検出信号Ｖｄｅｔの信号強度が閾値ΔＶｔｈ以上である場合（ステップＳ１３、Ｙｅｓ）、予め定められた処理を実行する（ステップＳ１４）。例えば、ホバー検出により、第２透光性電極１５１９の検出信号Ｖｄｅｔの信号強度が閾値ΔＶｔｈ以上である場合、前面パネル１を反射状態にする。あるいは、図１７に示す端部１ＥＬ又は端部１ＥＲに沿って配置された第２透光性電極１５２１から１５２６、１５３１から１５３６のいずれかの位置に被検出体がタッチしている場合、第２透光性電極１５１９の検出信号Ｖｄｅｔの信号強度が閾値ΔＶｔｈ以上である場合、被検出体の位置に応じて、表示の明るさを変更する。
【００９９】
以上説明したように、表示装置１００は、表示パネル２と、表示パネル２と重畳するとともに、入射光が反射する反射状態と、入射光が透過する透過状態とを切り替える前面パネル１とを有する。前面パネル１は、被検出体の存在に応じた検出信号Ｖｄｅｔを出力する。これにより、タッチパネルを更に重畳させることなく、近接物体である被検出体の検出を可能とする。実施形態１の前面パネル１は、タッチパネルを更に重畳させないため、反射状態における反射率の低下が抑制される。
【０１００】
実施形態１において、検出信号Ｖｄｅｔは、第２透光性電極１５から出力される。検出信号Ｖｄｅｔは、第１透光性電極１４から出力されるようにしてもよい。しかし、第２透光性電極１５は、第１透光性電極１４よりも被検出体に近いので、検出信号Ｖｄｅｔが第２透光性電極１５から出力される方が信号強度を確保できる。
【０１０１】
（実施形態２）
図２０は、実施形態２の表示状態における静電容量検出のタイミングチャートである。実施形態２の表示装置１００は、タイミングチャートに示すガード信号Ｖｇｄ以外は、実施形態１の表示装置１００と同じ構成である。なお、実施形態１で説明した構成要素については、同じ符号を付して、説明を省略する。
【０１０２】
図２０に示すように、表示期間Ｔｔと検出期間Ｔｍとが時分割で交互に実行される。表示期間Ｔｔ、検出期間Ｔｍの実行の順番はあくまで一例であり適宜変更してもよい。例えば、１フレーム１Ｆの表示期間Ｔｔに検出期間Ｔｍがあり、次の１フレーム１Ｆの表示期間Ｔｔに検出期間Ｔｍがなく、更に、１フレーム１Ｆの表示期間Ｔｔに検出期間Ｔｍがあってもよい。
【０１０３】
図２０に示すように、第１透光性電極駆動部１７１Ａは、第１透光性電極１４１１から１４２６、及び１４３１から１４３６に、基準電圧Ｖｓｔと駆動信号Ｖｍとを交互に供給する。基準電圧Ｖｓｔは、検出期間Ｔｍに供給される。検出期間Ｔｍは、液晶層１９の応答よりも極短い期間であるので、前面パネル１の第２前面パネル状態が維持される。検出期間Ｔｍであっても、前面パネル１は、入射光が透過する透過状態でかつ表示パネル２の画像が表示可能である。
【０１０４】
制御回路１７１は、検出期間Ｔｍにおいて、第２透光性電極１５１１から１５２６、及び１５３１から１５３６に、交流矩形波の駆動信号Ｖｓｅｌｆを供給する。制御回路１７１は、検出期間Ｔｍにおいて、第１透光性電極１４１１から１４２６、及び１４３１から１４３６に、交流矩形波のガード信号Ｖｇｄを供給する。
【０１０５】
以上説明したように、第１透光性電極１４は、反射状態において基準電圧Ｖｓｔであり、透過状態において、基準電圧Ｖｓｔと異なり、かつ駆動信号Ｖｍに基づく第２電圧が第１透光性電極１４に印加されている。第２透光性電極１５に交流矩形波である駆動信号Ｖｓｅｌｆが印加されるタイミングで、第１透光性電極１４には、基準電圧Ｖｓｔが印加され、かつ交流矩形波であるガード信号Ｖｇｄが印加される。
【０１０６】
ガード信号Ｖｇｄは、駆動信号Ｖｓｅｌｆと同じ信号である。このため、第２透光性電極１５１１から１５２６、及び１５３１から１５３６に対する第１透光性電極１４１１から１４２６、及び１４３１から１４３６のカップリングした寄生容量がキャンセルされ、第２透光性電極１５１１から１５２６、及び１５３１から１５３６における検出信号ＶｄｅｔのＳＮ比が向上する。
【０１０７】
（実施形態３）
図２１は、実施形態３の表示装置の断面図である。実施形態３の表示装置１００は、ＦＰＣ１８が第２基板１２に接続されている点で、実施形態１の表示装置１００と異なる構成である。なお、実施形態１で説明した構成要素については、同じ符号を付して、説明を省略する。
【０１０８】
ＦＰＣ１８は、第２基板１２の金属層７３とボンディングパッド７４で電気的に接続される。金属層７３の一部は、図２１に示すようにパターニングされ、第１透光性電極１４に電気的に接続された導電柱７２とボンディングパッド７４とを接続する配線となる。導電柱７２は、金属層７３と、第１透光性電極１４とを電気的に接続する。駆動回路１７は、ＦＰＣ１８を介して前面パネル１へ第１透光性電極１４及び第２透光性電極１５の電力を伝送する。なお、金属層７３の他の部分は、額縁領域１０Ｆに沿って配置される。
【０１０９】
額縁領域１０Ｆに沿って配置される金属層７３は、アクティブ領域１０の周囲を囲むように配置され、金属光沢を有するので、視認者側からみると鏡面に見える。つまり、視認者側の光が、金属層７３で反射する。実施形態３の表示装置１００において、アクティブ領域１０を反射状態とすると、額縁領域１０Ｆも反射状態であるので、鏡面の面積が広がったように見える。
【０１１０】
（実施形態４）
図２２は、実施形態４の表示装置の断面図である。実施形態４の表示装置１００は、液晶層１９がＩＰＳの一形態であるＦＦＳ等の横電界モードである点で、実施形態３の表示装置１００と異なる構成である。なお、実施形態３で説明した構成要素については、同じ符号を付して、説明を省略する。
【０１１１】
図２２に示す第２透光性電極１５Ａは、図３に示すように、第２透光性電極１５１１から１５２６、及び１５３１から１５３６に分割されている。図２２に示す第２透光性電極１４Ａは、いわゆる櫛歯状にスリットが設けられている。
【０１１２】
図２２に示すように、第３透光性電極１５Ｂは、窒化シリコンなどの透光性の絶縁膜８５で覆われている。第２透光性電極１５Ａは、窒化シリコンなどの透光性の絶縁膜８６で覆われている。
【０１１３】
第１基板１１は、配向膜８１を介して、配向膜８１に接する液晶層１９の液晶配向を一方向にしている。同様に、第２基板１２は、第２透光性電極１４Ａを覆う配向膜８２を介して、配向膜８２に接する液晶層１９の液晶配向を、第１基板１１に接する液晶配向と異なる方向にしている。
【０１１４】
導電柱７２は、金属層７３と、第３透光性電極１５Ｂとを電気的に接続する。駆動回路１７は、ＦＰＣ１８を介して第３透光性電極１５Ｂに駆動信号Ｖｃｏｍを供給する。駆動回路１７が第１透光性電極１４に電圧を印加する状態になると、第１透光性電極１４と第２透光性電極１５との間には、横電界が加わる。これにより、実施形態４の表示装置は、黄ばみが抑制され、視野角が向上する作用がある。
【０１１５】
（実施形態５）
図２３は、実施形態５の表示装置の断面図である。実施形態５の表示装置１００は、上述した液晶層１９がなく、エレクトロクロミック層１９Ａがある点で、実施形態３の表示装置１００と異なる構成である。なお、実施形態３で説明した構成要素については、同じ符号を付して、説明を省略する。
【０１１６】
エレクトロクロミック層１９Ａは、ＷＯ３、ＮｂＯ５、ＴｉＯ２などのエレクトロクロミック材料の薄膜と、電解質溶液とを含む。実施形態３の光学シート５の代わりに、ハーフミラー５Ａがある。れにより、実施形態５の表示装置は、黄ばみが抑制され、青色寄りの視認性を得る作用がある。
【０１１７】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。例えば、上述した実施形態に係る第１偏光部材４と、光学シート５と、前面パネル１と、第２偏光部材３１と、表示パネル２と、の間には、実施形態１において述べた態様によりもたらされる作用を阻害しない、透光性の光学樹脂、各種フィルムがあってもよい。
【０１１８】
また、実施形態１から５において述べた態様によりもたらされる他の作用効果について本明細書記載から明らかなもの、又は当業者において適宜想到し得るものについては、当然に本発明によりもたらされるものと解される。
【符号の説明】
【０１１９】
１  前面パネル
２  表示パネル
３  バックライト
４  第１偏光部材
５  光学シート
９  制御部
１０  アクティブ領域
１０Ｆ  額縁領域
１１  第１基板
１２  第２基板
１３、２３  封止層
１４  第１透光性電極
１５  第２透光性電極
１７、２７  駆動回路
１８  フレキシブルプリント基板
１９  液晶層
２１、２２  基板
２４  共通電極
２５  画素電極
２６  絶縁層
２８  フレキシブルプリント基板
２９  液晶層
３１  第２偏光部材
３２  第３偏光部材
１００  表示装置
ＰＡ１  第１偏光方向
ＰＡ２  第２偏光方向
Ｐｉｘ  画素
【図１】
2020042192.tif 000003
【図２】
2020042192.tif 000004
【図３】
2020042192.tif 000005
【図４】
2020042192.tif 000006
【図５】
2020042192.tif 000007
【図６】
2020042192.tif 000008
【図７】
2020042192.tif 000009
【図８】
2020042192.tif 000010
【図９】
2020042192.tif 000011
【図１０】
2020042192.tif 000012
【図１１】
2020042192.tif 000013
【図１２】
2020042192.tif 000014
【図１３】
2020042192.tif 000015
【図１４】
2020042192.tif 000016
【図１５】
2020042192.tif 000017
【図１６】
2020042192.tif 000018
【図１７】
2020042192.tif 000019
【図１８】
2020042192.tif 000020
【図１９】
2020042192.tif 000021
【図２０】
2020042192.tif 000022
【図２１】
2020042192.tif 000023
【図２２】
2020042192.tif 000024
【図２３】
2020042192.tif 000025